(57)【要約】【課題】古土嚢のみならず、該古土嚢からこぼれ落ちる充填物も含めて確実に別の土嚢袋に簡単に詰め替えることができる土嚢詰替え用シート及び詰替え工法を提供すること。【解決手段】本発明は、充填物が充填された土嚢を、別の土嚢袋１１に詰め替えるために用いられる土嚢詰替え用シート１０であって、中央に開口した開口部１ａが設けられた多角形状のシート体１と、開口部１ａから該シート体１の裏方向に突出し、シート体１に連続するように設けられた収納部２と、シート体１の角部にそれぞれ設けられた吊り上げ部３と、を備える土嚢詰替え用シート１０である。【選択図】図１
2016183537.tif 000002
【特許請求の範囲】
【請求項１】
充填物が充填された土嚢を、別の土嚢袋に詰め替えるために用いられる土嚢詰替え用シートであって、
中央に開口した開口部が設けられた多角形状のシート体と、
前記開口部から該シート体の裏方向に突出し、前記シート体に連続するように設けられた収納部と、
前記シート体の角部にそれぞれ設けられた吊り上げ部と、
を備える土嚢詰替え用シート。
【請求項２】
前記収納部が有底円筒状であり、
前記土嚢を収納可能となっている請求項１記載の土嚢詰替え用シート。
【請求項３】
前記開口部の面積が、前記収納部の底面の面積より大きい請求項２記載の土嚢詰替え用シート。
【請求項４】
前記吊り上げ部が、環状のループ体からなる請求項１〜３のいずれか１項に記載の土嚢詰替え用シート。
【請求項５】
前記ループ体が、ロープ又はベルトで形成されており、
前記シート体の裏面にて対向するループ体同士が対角線上で互いに連結されている請求項４記載の土嚢詰替え用シート。
【請求項６】
前記シート体が、ターポリン、ポリエステル、ポリアミド又はポリオレフィンからなるものである請求項１〜５のいずれか１項に記載の土嚢詰替え用シート。
【請求項７】
請求項１〜６のいずれか１項に記載の土嚢詰替え用シートを用い、充填物が充填された土嚢を、別の土嚢袋に詰め替えるための詰替え工法であって、
土嚢詰替え用シートを地面に展開した状態とする展開工程と、
該土嚢詰替え用シートの上に、充填物が充填された土嚢を載せる載置工程と、
前記吊り上げ部のそれぞれに吊りフックを掛止し、充填物が充填された土嚢を土嚢詰替え用シートで包み込むようにして、前記吊りフックを上昇させる吊り上げ工程と、
充填物が充填された土嚢を、前記収納部に落とし込む落とし込み工程と、
吊り上げた前記土嚢詰替え用シートを運搬する運搬工程と、
前記吊りフックを下降させ、充填物が充填された土嚢と共に前記土嚢詰替え用シートを、別の土嚢袋に収納する収納工程と、
を備える詰替え工法。
【発明の詳細な説明】
【技術分野】
【０００１】
本発明は、土嚢詰替え用シート及びそれを用いた詰替え工法に関し、更に詳しくは、長期間設置した土嚢のみならず、その土嚢からこぼれ落ちる充填物も含めて確実に別の土嚢袋に簡単に詰め替えることができる土嚢詰替え用シート及び詰替え工法に関する。
【背景技術】
【０００２】
土嚢袋に充填物を充填された土嚢は、長期間設置すると、太陽光の紫外線や風雨等の影響により、その土嚢袋が劣化する。
したがって、土嚢袋の破損等による充填物の漏れを防止するため、長期間設置した土嚢（以下便宜的に「古土嚢」ともいう。）自体は、別の新しい土嚢袋に入れ込んで詰め替える必要がある。
【０００３】
ところが、古土嚢は、クレーン等で吊り上げると、土嚢袋のシートが破損し、充填物がこぼれ落ちる欠点がある。
このため、従来においては、古土嚢であっても、詰め替えを行わずに、古土嚢の周囲に補強テープを貼る等して土嚢袋の補強を行っている。
【０００４】
なお、土嚢の詰替えとは全く異なる分野であるが、類似する構造体として、ダンプトラックから掘削溝に土砂を移すのを、道路占有幅が１車線であっても、１度に多量の土砂を移せるようにした砂埋め用バッグが知られている（例えば、特許文献１参照）。
【先行技術文献】
【特許文献】
【０００５】
【特許文献１】特開平９−２９０８９３号公報
【発明の概要】
【発明が解決しようとする課題】
【０００６】
しかしながら、古土嚢の補強をするだけでは、充填物の漏れを完全に防止することはできない。
また、仮に、補強した古土嚢を別の土嚢袋に入れ込むとしても、その過程で、古土嚢の割れ目等から充填物がこぼれ落ちる問題がある。なお、こぼれ出た充填物が放射性物質である場合は、極めて問題となる。
ちなみに、上記特許文献１記載の砂埋め用バッグは、土砂排出口から土砂を排出するようになっているため構成が全く異なるものであり、排出筒も土嚢の収納を意図したものではない。
【０００７】
本発明は上記事情に鑑みてなされたものであり、古土嚢のみならず、該古土嚢からこぼれ落ちる充填物も含めて確実に別の土嚢袋に簡単に詰め替えることができる土嚢詰替え用シート及び詰替え工法を提供することを目的とする。
【課題を解決するための手段】
【０００８】
本発明者等は、上記課題を解決するため鋭意検討したところ、多角形状のシート体の中央に、該シート体の裏方向に突出した収納部を設けることにより、意外にも、上記課題を解決し得ることを見出し、本発明を完成させるに至った。
【０００９】
本発明は、（１）充填物が充填された土嚢を、別の土嚢袋に詰め替えるために用いられる土嚢詰替え用シートであって、中央に開口した開口部が設けられた多角形状のシート体と、開口部から該シート体の裏方向に突出し、シート体に連続するように設けられた収納部と、シート体の角部にそれぞれ設けられた吊り上げ部と、を備える土嚢詰替え用シートに存する。
【００１０】
本発明は、（２）収納部が有底円筒状であり、土嚢を収納可能となっている上記（１）記載の土嚢詰替え用シートに存する。
【００１１】
本発明は、（３）開口部の面積が、収納部の底面の面積より大きい上記（２）記載の土嚢詰替え用シートに存する。
【００１２】
本発明は、（４）吊り上げ部が、環状のループ体からなる上記（１）〜（３）のいずれか１つに記載の土嚢詰替え用シートに存する。
【００１３】
本発明は、（５）ループ体が、ロープ又はベルトで形成されており、シート体の裏面にて対向するループ体同士が対角線上で互いに連結されている上記（４）記載の土嚢詰替え用シートに存する。
【００１４】
本発明は、（６）シート体が、ターポリン、ポリエステル、ポリアミド又はポリオレフィンからなるものである上記（１）〜（５）のいずれか１つに記載の土嚢詰替え用シートに存する。
【００１５】
本発明は、（７）上記（１）〜（６）のいずれか１つに記載の土嚢詰替え用シートを用い、充填物が充填された土嚢を、別の土嚢袋に詰め替えるための詰替え工法であって、土嚢詰替え用シートを地面に展開した状態とする展開工程と、該土嚢詰替え用シートの上に、充填物が充填された土嚢を載せる載置工程と、吊り上げ部のそれぞれに吊りフックを掛止し、充填物が充填された土嚢を土嚢詰替え用シートで包み込むようにして、吊りフックを上昇させる吊り上げ工程と、充填物が充填された土嚢を、収納部に落とし込む落とし込み工程と、吊り上げた土嚢詰替え用シートを運搬する運搬工程と、吊りフックを下降させ、充填物が充填された土嚢と共に土嚢詰替え用シートを、別の土嚢袋に収納する収納工程と、を備える詰替え工法に存する。
【発明の効果】
【００１６】
本発明の土嚢詰替え用シートにおいては、多角形状のシート体の中央に、該シート体の裏方向に突出した収納部を設けることにより、古土嚢をそのまま、若しくは、古土嚢が破れて現出した充填物（以下両者を含めて「古土嚢等」という。）を、当該収納部に収納することができる。
そして、シート体の角部にそれぞれ設けられた吊り上げ部を介して、土嚢詰替え用シートを吊り上げることにより、古土嚢等を簡単に運搬することが可能となる。
また、古土嚢等を収納部に収納した土嚢詰替え用シートを、そのまま別の土嚢袋に挿入することにより、実質的に、古土嚢の充填物を、別の土嚢袋に詰め替えることができる。
したがって、本発明の土嚢詰替え用シートによれば、古土嚢のみならず、該古土嚢からこぼれ落ちる充填物も含めて確実に別の土嚢袋に簡単に詰め替えることができる。
【００１７】
本発明の土嚢詰替え用シートにおいては、収納部が有底円筒状であり、土嚢を収納可能となっている場合、古土嚢等を収納部に収納した状態で運搬することができるので、運搬し易い。
また、別の円筒状の土嚢袋に詰め替える際に、簡単に当該土嚢袋に挿入することができる。
なお、開口部の面積が、収納部の底面の面積より大きい場合、古土嚢等が収納部に入り易いという利点がある。
【００１８】
本発明の土嚢詰替え用シートにおいては、吊り上げ部が、環状のループ体からなるので、クレーン等の吊りフックを掛止し易い。
また、ループ体が、ロープ又はベルトで形成されており、シート体の裏面にて対向するループ体同士が対角線上で互いに連結されている場合、吊り上げ時に、シート体にかかる負荷を軽減することができる。すなわち、吊り上げ時の荷重をロープ又はベルトに分散させることができるので、シート体が破損することを防止できる。
【００１９】
本発明の土嚢詰替え用シートにおいては、シート体が、ターポリン、ポリエステル、ポリアミド又はポリオレフィンからなるものである場合、汎用性及び耐久性に優れると共に、リサイクルすることも可能である。
【００２０】
本発明の詰替え工法においては、展開工程と、載置工程と、吊り上げ工程と、落とし込み工程と、運搬工程と、収納工程と、を備えることにより、古土嚢のみならず、該古土嚢からこぼれ落ちる充填物も含めて確実に別の土嚢袋に簡単に詰め替えることができる。
【図面の簡単な説明】
【００２１】
【図１】図１は、本発明に係る土嚢詰替え用シートの実施形態を表側から模式的に示した斜視図である。
【図２】図２は、本発明に係る土嚢詰替え用シートの実施形態を裏側から模式的に示した斜視図である。
【図３】図３は、本発明に係る詰替え工法の実施形態を示すフローチャート図である。
【図４】図４の（ａ）〜（ｅ）は、本発明に係る詰替え工程の実施形態を説明するための説明図である。
【発明を実施するための形態】
【００２２】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２３】
本発明に係る土嚢詰替え用シートは、充填物が充填された土嚢を、別の土嚢袋に詰め替えるために用いられる。
ここで、かかる充填物としては、土砂、石材等が挙げられる。なお、汚染水やし尿を吸着させた吸着ポリマー、破砕片、汚染土嚢、排便等も充填物に含まれる。
【００２４】
図１は、本発明に係る土嚢詰替え用シートの実施形態を表側から模式的に示した斜視図である。
図１に示すように、本実施形態に係る土嚢詰替え用シート１０は、中央に開口した開口部１ａが設けられた矩形状のシート体１と、開口部１ａから該シート体１の裏方向に突出し、シート体１に連続するように設けられた収納部２と、シート体１の角部（すなわち、四隅）にそれぞれ設けられた吊り上げ部３と、を備える。
【００２５】
土嚢詰替え用シート１０において、シート体１は、矩形状であり、略中央に円形の開口部１ａが設けられている。
そして、当該開口部１ａには、有底円筒状の収納部２が縫合されている。
【００２６】
ここで、開口部１ａの面積は、シート体１の面積の１％〜８０％であることが好ましく、１０〜３５％であることがより好ましい。なお、「シート体１の面積」は、開口部１ａの面積も含んでいる。
この場合、シート体１の開口部１ａ以外の部分が十分に大きいので、古土嚢等をシート体１の開口部１ａに載置する際に、仮に、古土嚢の充填物がこぼれ落ちた場合であっても、シート体１に落とすことができる。
そうすると、土嚢詰替え用シート１０を吊り上げる際に、シート体１上にこぼれ落ちた充填物を収納部に落とし込むことができる。
【００２７】
収納部２は、開口部１ａからシート体１の裏方向に突出し、シート体に連続するように縫合されている。
また、収納部２は、有底円筒状となっている。
ここで、収納部２の中空部は、古土嚢をそのまま収納可能な形状であることが好ましい。
これにより、古土嚢を簡単に収納部２に収納させることができると共に、古土嚢を収納した状態で運搬することができるので、運搬し易い。
また、別の円筒状の土嚢袋に詰め替える際に、簡単に当該土嚢袋に挿入することができる。
【００２８】
このとき、シート体１の開口部１ａの面積は、収納部２の底面の面積より大きいことが好ましい。すなわち、収納部２は、逆円錐台状であることが好ましい。
この場合、古土嚢等が収納部２に入り易いという利点がある。
また、別の土嚢袋の口を広げた状態で、上方から収納部２を当該土嚢袋内に挿入する際に、収納部２を土嚢袋に簡単に挿入させることが可能となる。
【００２９】
ここで、収納部２の深さＨ２は、シート体１の幅Ｈ１の５％〜１００％であることが好ましく、３０〜５０％であることがより好ましい。
収納部２の深さＨ２を、収納部２に収納される古土嚢等のサイズに対応させた場合、シート体１の幅Ｈ１を上記範囲内とすることにより、古土嚢等を収納部２に収納させる際の作業性が向上する。すなわち、シート体１の大きさが、古土嚢等に対して十分なサイズとなるので、作業中に、古土嚢の充填物がこぼれ落ちた場合であっても、シート体１に落とすことができる。
【００３０】
シート体１及び収納部２は、柔軟性に優れる布地からなる。
具体的な材質は、特に限定されないが、ターポリン、ポリエステル、ナイロン等のポリアミド、ポリエチレンやポリプロピレン等のポリオレフィン、ポリ乳酸繊維等の生分解性繊維等が挙げられる。
これらの中でも、シート体１及び収納部２の材質は、充填物が水分を含む場合、ターポリンであることが好ましく、充填物が水分を含まない場合、ポリエステル、ナイロン又はポリエチレンであることが好ましい。なお、シート体１と収納部２の材質は、同一であっても異なっていてもよい。
この場合、汎用性及び耐久性に優れると共に、リサイクルすることも可能である。
また、これらには、耐久性向上、耐候性向上、防腐加工、耐虫加工等のために、樹脂加工が施されていてもよい。
【００３１】
シート体１において、ＪＩＳ−Ｌ１０９６に準じて測定した引張強度は、２４０Ｎ／ｃｍ以上であることが好ましい。
この場合、収納部２に、比較的重量が大きい古土嚢等を収納させた状態で、シート体１に設けられた吊り上げ部３を吊り上げても、シート体１が破損することなく、十分な強度を発揮することができる。
【００３２】
吊り上げ部３は、環状のループ体からなり、矩形状のシート体１の四隅に設けられている。なお、当該吊り上げ部３は、クレーン等の吊りフックを掛止できるように、十分な大きさのループを有している。
当該ループ体は、例えば、ロープで形成されている。この場合、ロープを環状にしてシート体１に縫合することにより、吊り上げ部３がシート体１に取り付けられる。
【００３３】
図２は、本発明に係る土嚢詰替え用シートの実施形態を裏側から模式的に示した斜視図である。なお、図２は、収納部２を伸ばした状態で示している。
図２に示すように、本実施形態に係る土嚢詰替え用シート１０においては、シート体１の裏面にて対向するロープ（吊り上げ部３）同士が対角線上で互いに連結されている。
また、当該ロープは、各対角線上に２本が縫合されている。
これにより、シート体１の引張強度を補強することができる。すなわち、吊り上げ時の荷重を当該ロープに分散させることができるので、シート体１が破損することを確実に防止できる。
【００３４】
このとき、対角線上で吊り上げ部３同士を連結するロープは、収納部２の側壁面及び底面にも縫合されていることが好ましく、これに加えてシート体１にも縫合されていることが更に好ましい。
この場合、土嚢詰替え用シート１０を吊り上げる際に、ロープがずれることにより荷重の分散が不十分になることを防止できる。
【００３５】
当該ロープにおいて、ＪＩＳ−Ｌ２７０４、ＪＩＳ−Ｌ２７０５、ＪＩＳ−Ｌ２７０６又はＪＩＳ−Ｌ２７０７、に準じた引張強度が１．０ｋＮ／本以上であることが好ましい。
この場合、古土嚢等の重量が比較的大きい場合であっても、土嚢詰替え用シートにより確実に運搬することができる。
【００３６】
本実施形態に係る土嚢詰替え用シートにおいては、古土嚢等を、矩形状のシート体１の中央に設けた収納部２に収納し、シート体１の四隅にそれぞれ設けられた吊り上げ部３を介して吊り上げることにより、古土嚢等を簡単に運搬することができる。
また、古土嚢等を収納部に収納した土嚢詰替え用シートを、そのまま別の土嚢袋に挿入することにより、実質的に、古土嚢の充填物を、別の土嚢袋に詰め替えることができる。
したがって、本発明の土嚢詰替え用シートによれば、古土嚢のみならず、該古土嚢からこぼれ落ちる充填物も含めて確実に別の土嚢袋に簡単に詰め替えることができる。
【００３７】
次に、本実施形態に係る詰替え工法について説明する。
かかる詰替え工法は、上述した土嚢詰替え用シート１０を用い、充填物が充填された土嚢を、別の土嚢袋に詰め替えるための工法である。
【００３８】
図３は、本発明に係る詰替え工法の実施形態を示すフローチャート図である。
図３に示すように、本実施形態に係る詰替え工法は、土嚢詰替え用シート１０を地面に展開した状態とする展開工程Ｓ１と、該土嚢詰替え用シート１０の上に、充填物が充填された土嚢を載せる載置工程Ｓ２と、吊り上げ部３のそれぞれに吊りフック５に掛止させ、充填物が充填された土嚢を土嚢詰替え用シート１０で包み込むようにして、吊りフック５を上昇させる吊り上げ工程Ｓ３と、充填物が充填された土嚢を、収納部２に落とし込む落とし込み工程Ｓ４と、吊り上げた土嚢詰替え用シート１０を運搬する運搬工程Ｓ５と、吊りフック５を下降させ、充填物が充填された土嚢と共に土嚢詰替え用シート１０を、別の土嚢袋に収納する収納工程Ｓ６と、を備える。
【００３９】
図４の（ａ）〜（ｅ）は、本発明に係る詰替え工程の実施形態を説明するための説明図である。
まず、図４の（ａ）に示すように、展開工程Ｓ１において、土嚢詰替え用シート１０は、表側を上にし、裏側に突出して設けられた収納部２を畳んだ状態として、地面に展開される。なお、このときの収納部２の畳み方は特に限定されない。
【００４０】
次に、図４の（ｂ）に示すように、載置工程Ｓ２においては、古土嚢１２を、土嚢詰替え用シート１０の畳まれた収納部２上に載せる。
この際、古土嚢１２の割れ目（裂け目）から充填物がこぼれ出ても、展開されたシート体１の上にこぼれ落ちるだけなので安全である。
【００４１】
次に、図４の（ｃ）に示すように、吊り上げ工程Ｓ３においては、シート体１の四隅に設けられた吊り上げ部３のそれぞれに吊りフック５を掛止し、吊りフック５を上昇させる。
このとき、古土嚢１２を土嚢詰替え用シート１０で包み込むようにする。
【００４２】
次に、図４の（ｄ）に示すように、落とし込み工程Ｓ４においては、吊りフック５を更に上昇させ、収納部２上に載置された古土嚢を、そのまま収納部２に落とし込む。
このとき、シート体１の上にこぼれ落ちている充填物も、シート体１の表面を滑って、収納部２に落とし込まれることになる。
次に、運搬工程Ｓ５においては、吊りフック５を更に上昇させることにより、土嚢詰替え用シートが吊り上げられ、その状態を維持したまま、運搬されることになる。
そして、土嚢詰替え用シートの下方に、別の土嚢袋１１を、口部を開けた状態で設置する。なお、このとき、別の土嚢袋１１は、図示しない枠等を用いて固定することが望ましい。
【００４３】
次に、収納工程Ｓ６においては、吊りフック５を下降させ、口部を開けた状態で設置された別の土嚢袋１１に収納する。
そして、別の土嚢袋１１の口部を閉じることにより、図４の（ｅ）に示すように、土嚢の詰替えが完了する。
なお、詰め替えられた土嚢は、充填物に対して、古土嚢２の土嚢袋、土嚢詰替え用シート１０及び別の土嚢袋１１の３重構造となる。このため、別の土嚢袋１１が後に劣化した場合であっても、充填物がこぼれ出ることを確実に防止することができる。
【００４４】
当該詰替え工法によれば、上記各工程を行うことにより、古土嚢のみならず、該古土嚢からこぼれ落ちる充填物も含めて確実に別の土嚢袋に簡単に詰め替えることができる。
【００４５】
以上、本発明の好適な実施形態について説明したが、本発明は上述した実施形態に限定されるものではない。
【００４６】
例えば、本実施形態に係る土嚢詰替え用シート１０において、シート体１は、上面視で矩形状であるが、これに限定されず、円形状、楕円形状、三角形状、五角形状以上の多角形状であってもよい。
シート体１が多角形状である場合、各角部に吊り上げ部が設けられる。なお、よりバランス良く吊り上げるために、角部同士の間に吊り上げ部を更に設けてもよい。
また、シート体１が円形状、楕円形状である場合、バランス良く吊り上げるために均等に吊り上げ部を設けることが好ましい。
本実施形態に係る土嚢詰替え用シート１０において、シート体に設ける吊り上げ部の数は特に限定されない。
【００４７】
本実施形態に係る土嚢詰替え用シート１０においては、シート体１として１枚の布地を用いているが、２枚以上の布地が積層されたものを用いてもよい。
このとき、各層の布地の材質は、同一であってもよく、異なるものであってもよい。
【００４８】
本実施形態に係る土嚢詰替え用シート１０においては、収納部２の外観が、逆円錐台状となっているが、円錐台状であってもよく、円柱状であってもよい。
また、底を有さない、逆円錐状であってもよい。
【００４９】
本実施形態に係る土嚢詰替え用シート１０においては、吊り上げ部３が、環状のループ体からなっているが、これに限定されない。例えば、クレーン等の吊りフック５に掛止可能な鍵状の構造体としてもよく、マグネットクレーン等に磁着するように磁石からなる構造体としてもよい。
【００５０】
本実施形態に係る土嚢詰替え用シート１０においては、ループ体がロープで形成されているが、ベルト、針金又はワイヤーであってもよい。
これらの中でも、ループ体は、ロープ又はベルトであることが好ましい。
なお、ループ体がベルトで形成されている場合、ＪＩＳ−Ｄ４６０４に準じた引張強度が１．０ｋＮ／本以上であることが好ましい。
この場合、古土嚢等の重量が比較的大きい場合であっても、土嚢詰替え用シートにより確実に運搬することができる。
【００５１】
本実施形態に係る土嚢詰替え用シート１０においては、シート体１の裏面にて対向するロープ（吊り上げ部３）同士が対角線上で互いに連結されているが、必ずしも必須ではない。
また、シート体１の向かい合う辺同士、又は、隣り合う辺同士、の各中間部を結ぶように、ロープが縫合されていてもよい。
【００５２】
本実施形態に係る土嚢詰替え用シート１０においては、１本のロープの両端が、対角線上に対向する吊り上げ部３をそれぞれ形成しているが、２本のロープの各一端が、対角線上に対向する吊り上げ部３をそれぞれ形成し、各他端がシート体１の裏側にて互いに結合されていてもよい。
【００５３】
本実施形態に係る土嚢詰替え用シート１０において、対角線上で吊り上げ部３同士を連
結するロープは、シート体１と、収納部２の側壁面及び底面とに縫合されているが、ロープ全体に対して縫合されていてもよく、ロープの長手方向に部分的に縫合されていてもよい。
【産業上の利用可能性】
【００５４】
本発明に係る土嚢詰替え用シート１０及びそれを用いた詰替え工法は、太陽光の紫外線や風雨等の影響により土嚢袋が劣化した土嚢を、別の土嚢袋に詰め替える際に好適に用いられる。
本発明に係る土嚢詰替え用シート１０及び詰替え工法によれば、古土嚢のみならず、該古土嚢からこぼれ落ちる充填物も含めて確実に別の土嚢袋に簡単に詰め替えることができる。
【符号の説明】
【００５５】
１・・・シート体
１ａ・・・開口部
１０・・・土嚢詰替え用シート
１１・・土嚢袋
１２・・・古土嚢
２・・・収納部
３・・・吊り上げ部
５・・・吊りフック
Ｓ１・・・展開工程
Ｓ２・・・載置工程
Ｓ３・・・吊り上げ工程
Ｓ４・・・落とし込み工程
Ｓ５・・・運搬工程
Ｓ６・・・収納工程
【図１】
2016183537.tif 000003
【図２】
2016183537.tif 000004
【図３】
2016183537.tif 000005
【図４】
2016183537.tif 000006